(57)【要約】【課題】  回動部分の構造が簡単であるにも係らず、垂直スタッキング及び水平スタッキング可能であるとともに、使用状態における座部の支持強度が高い安価な折畳み椅子を提供する。【解決手段】  下部に左右一対の前脚杆５，５、上部に背凭れ部４を備えた後傾する第一脚部材１と、該第一脚部材の上下中間部で両前脚杆の内側に上端部を脚回動軸６，６にて枢着した左右一対の後脚杆７，７を備えた前傾する第二脚部材２と、第二脚部材の上部で両後脚杆の内側に後部を水平な座回動軸８，８にて枢着した座部３とを有し、両後脚杆の上部から前方へ延設した平面視略コ字形の支持杆９にて略水平状態の座部の下面２１で座回動軸よりも前方位置を載支し、第一脚部材に対して第二脚部材が開いた使用状態で、第一脚部材に、支持杆に係合して第二脚部材の開きを規制するストッパー手段１０を設けた。【選択図】        図３
2005279032.tif 000002
【特許請求の範囲】
【請求項１】
下部に左右一対の前脚杆、上部に背凭れ部を備えた後傾する第一脚部材と、該第一脚部材の上下中間部で両前脚杆の内側に上端部を脚回動軸にて枢着した左右一対の後脚杆を備えた前傾する第二脚部材と、前記第二脚部材の上部で両後脚杆の内側に後部を水平な座回動軸にて枢着した座部とを有し、前記両後脚杆の上部から前方へ延設した平面視略コ字形の支持杆にて略水平状態の座部の下面で前記座回動軸よりも前方位置を載支するとともに、前記第一脚部材に対して第二脚部材が開いた使用状態で、該第一脚部材に、前記支持杆に係合して第二脚部材の開きを規制するストッパー手段を設けたことを特徴とする折畳み椅子。
【請求項２】
前記ストッパー手段は、前記両前脚杆間に渡設した連結杆の中央部に上方へ略コ字状に屈曲部を屈曲形成するとともに、前記支持杆の中央部に下方へ突出部を屈曲形成し、前記屈曲部の凹部側に前記突出部の後側を当接して前記第一脚部材に対して第二脚部材の開きを規制するものである請求項１記載の折畳み椅子。
【請求項３】
前記第一脚部材に対して第二脚部材が開き、前記座部を略水平状態に支持した使用状態から、前記第一脚部材に対して第二脚部材を閉じる動作時に、前記連結杆の屈曲部の凸部側が前記座回動軸よりも前方位置の前記座部の下面を前記第一脚部材と略平行になるまで押上げて折畳むことが可能である請求項２記載の折畳み椅子。
【請求項４】
前記第一脚部材、第二脚部材及び座部を略平行に折畳んだ状態において、前記支持杆の突出部をテーブル等の横部材に係止可能とすべく、前記第一脚部材よりも突出部を前方へ突出するように設定してなる請求項２又は３記載の折畳み椅子。
【請求項５】
前記第一脚部材に対して第二脚部材が開いた使用状態で、前記第二脚部材の両後脚杆の上端に前方へ延びた水平部を有し、垂直スタッキング状態において前記水平部で上位の椅子の前記支持杆の両側部を載支してなる請求項２〜４何れかに記載の折畳み椅子。
【発明の詳細な説明】
【技術分野】
【０００１】
本発明は、折畳み椅子に係わり、更に詳しくは垂直スタッキング及び水平スタッキング可能な折畳み椅子に関するものである。
【背景技術】
【０００２】
従来から、下部に左右一対の前脚杆、上部に背凭れ部を備えた後傾する第一脚部材の上下中間部に、左右一対の後脚杆を備えた前傾する第二脚部材の上端部を水平な回動軸にて枢着し、両前脚杆間に座部の前後中間部を水平な回動軸にて枢着するとともに、該座部の後部を前記両後脚杆間に連係させて、前記第一脚部材に対して第二脚部材を開いた状態で該座部を略水平に支持し、前記第一脚部材に対して第二脚部材を閉じた状態で該第一脚部材、第二脚部材及び座部が略平行に折畳むことが可能な椅子は公知である。
【０００３】
通常、この種の折畳み椅子は、強度を保つために両前脚杆の下端間を接地杆で連続するとともに、両後脚杆の下端間を接地杆で連続する構造になっているため、そのままの使用形態で上下に複数積み重ねる垂直スタッキングをすることは構造的に不可能であり、また座部と第二脚部材とが連動するので、自立させるためには第一脚部材と第二脚部材とは開いた状態、即ち座部を略水平状態にしておかなければならないので、自立することを前提とする前後に複数重ねる水平スタッキングをすることも不可能である。
【０００４】
また、特許文献１には、下部に左右一対の前脚杆、上部に背凭れ部を備えた後傾する第一脚部材の上下中間部に、左右一対の後脚杆を備えた前傾する第二脚部材の上端部と、両前脚杆間に配した座部の前後中間部とを、互いの相対的回動角度が規制された関節連結部にて枢着した折畳み椅子が開示されている。しかし、この特許文献１に記載された椅子は、スタッキングすることが可能であるものの、回動機構が１つの関節連結部に集約されているので、構造が複雑になるばかりでなく、この関節連結部に荷重が一点集中するので構造的に無理がある。
【特許文献１】特公昭４７−３４３６８号公報
【発明の開示】
【発明が解決しようとする課題】
【０００５】
そこで、本発明が前述の状況に鑑み、解決しようとするところは、回動部分の構造が簡単であるにも係らず、垂直スタッキング及び水平スタッキング可能であるとともに、使用状態における座部の支持強度が高い安価な折畳み椅子を提供する点にある。
【課題を解決するための手段】
【０００６】
本発明は、前述の課題解決のために、下部に左右一対の前脚杆、上部に背凭れ部を備えた後傾する第一脚部材と、該第一脚部材の上下中間部で両前脚杆の内側に上端部を脚回動軸にて枢着した左右一対の後脚杆を備えた前傾する第二脚部材と、前記第二脚部材の上部で両後脚杆の内側に後部を水平な座回動軸にて枢着した座部とを有し、前記両後脚杆の上部から前方へ延設した平面視略コ字形の支持杆にて略水平状態の座部の下面で前記座回動軸よりも前方位置を載支するとともに、前記第一脚部材に対して第二脚部材が開いた使用状態で、該第一脚部材に、前記支持杆に係合して第二脚部材の開きを規制するストッパー手段を設けた折畳み椅子を構成した（請求項１）。
【０００７】
ここで、前記ストッパー手段は、前記両前脚杆間に渡設した連結杆の中央部に上方へ略コ字状に屈曲部を屈曲形成するとともに、前記支持杆の中央部に下方へ突出部を屈曲形成し、前記屈曲部の凹部側に前記突出部の後側を当接して前記第一脚部材に対して第二脚部材の開きを規制するものである(請求項２)。
【０００８】
更に、前記第一脚部材に対して第二脚部材が開き、前記座部を略水平状態に支持した使用状態から、前記第一脚部材に対して第二脚部材を閉じる動作時に、前記連結杆の屈曲部の凸部側が前記座回動軸よりも前方位置の前記座部の下面を前記第一脚部材と略平行になるまで押上げて折畳むことが可能である（請求項３）。
【０００９】
また、前記第一脚部材、第二脚部材及び座部を略平行に折畳んだ状態において、前記支持杆の突出部をテーブル等の横部材に係止可能とすべく、前記第一脚部材よりも突出部を前方へ突出するように設定してなることも好ましい（請求項４）。
【００１０】
また、前記第一脚部材に対して第二脚部材が開いた使用状態で、前記第二脚部材の両後脚杆の上端に前方へ延びた水平部を有し、垂直スタッキング状態において前記水平部で上位の椅子の前記支持杆の両側部を載支してなることも好ましい（請求項５）。
【発明の効果】
【００１１】
以上にしてなる請求項１に係る発明の折畳み椅子は、第一脚部材に対して第二脚部材が開き、前記座部を略水平状態に支持した使用状態のまま上下に複数積み重ねて垂直スタッキングをすることができるとともに、また使用状態から座部のみを上方に持ち上げれば前後に複数重ねて水平スタッキングをすることができ、更に第一脚部材、第二脚部材及び座部を略平行に折畳んだ状態にすることができるので、収納方法の多様性により、運搬性、レイアウト変更の容易性、省収納スペースの各ニーズに対応することができ、しかも座部は座回動軸とその前方の支持杆とによる前後２箇所で支持するので支持強度が高く、着座時の安定性に優れている。
【００１２】
請求項２によれば、第一脚部材に対して第二脚部材が開いた状態で、第一脚部材に固定した連結杆の屈曲部の凹部側に、第二脚部材に固定した支持杆の突出部の後側を当接することにより、前記第一脚部材に対して第二脚部材の開きを確実に規制することができ、また耐久性の高いものとなる。
【００１３】
請求項３によれば、使用状態から第一脚部材に対して第二脚部材を閉じると、その動作に伴って前記連結杆の屈曲部の凸部側が前記座回動軸よりも前方位置の前記座部の下面を押上げて該座部を簡単に折畳むことがことができ、しかも折畳んだ状態では前記屈曲部が座部の下面に圧接しているので、不意に座部が回動して倒れて前方へ突出することがないのである。勿論、第一脚部材に対する第二脚部材の開き具合に関係なく、座部を待ち上げれば座回動軸を中心として回動して第一脚部材と略平行な状態にすることができ、この状態で水平スタッキングをすることができる。
【００１４】
請求項４によれば、第一脚部材、第二脚部材及び座部を折畳んだ状態で、前記第一脚部材よりも前方へ突出した下向きの突出部を、テーブル等の横部材に係止して収納することができる。
【００１５】
請求項５によれば、垂直スタッキング状態において、第二脚部材の両後脚杆の上端に設けた水平部で、上位の椅子の前記支持杆の両側部を載支することができるので、下位の座部の上面を傷付けたり、特に上面にクッションを設けている場合には、該クッションに凹み癖を付けることがないのである。
【発明を実施するための最良の形態】
【００１６】
次に、添付図面に示した実施形態に基づき、本発明を更に詳細に説明する。図１は本発明に係る折畳み椅子を斜め後方から見た斜視図、図２は分解図、図３は座部を跳ね上げて機構部を見せた斜視図、図４は側面図をそれぞれ示し、図中符号１は第一脚部材、２は第二脚部材、３は座部、４は背凭れ部をそれぞれ示している。
【００１７】
本発明に係る折畳み椅子は、図１〜図４に示すように、下部に左右一対の前脚杆５，５、上部に背凭れ部４を備えた後傾する第一脚部材１と、該第一脚部材１の上下中間部で両前脚杆５，５の内側に上端部を水平な脚回動軸６，６にて枢着した左右一対の後脚杆７，７を備えた前傾する第二脚部材２と、前記第二脚部材２の上部で両後脚杆７，７の内側に後部を水平な座回動軸８，８にて枢着した座部３とを有し、前記両後脚杆７，７の上部から前方へ延設した平面視略コ字形の支持杆９にて略水平状態の座部３の下面で前記座回動軸８，８よりも前方位置を載支するとともに、前記第一脚部材１に対して第二脚部材２が開いた使用状態で、該第一脚部材１に、前記支持杆９に係合して第二脚部材２の開きを規制するストッパー手段１０を設けたものである。
【００１８】
ここで、前記ストッパー手段１０は、本実施形態では、図２及び図３に示すように、前記両前脚杆５，５間に渡設した連結杆１１の中央部に上方へ略コ字状に屈曲部１２を屈曲形成するとともに、前記支持杆９の中央部に下方へ突出部１３を屈曲形成し、前記屈曲部１２の凹部側１２Ａに前記突出部１３の後側を当接して前記第一脚部材１に対して第二脚部材２の開きを規制する構造を採用している。本実施形態では、第一脚部材１に対して第二脚部材２を開き、前記ストッパー手段１０が係合して機能した状態で、前記屈曲部１２は斜め後上方に突出し、前記突出部１３は斜め後下方に突出している。
【００１９】
更に詳しくは、前記第一脚部材１は、平行に配した左右一対の後傾した前脚杆５，５の上部間に、補強杆を内蔵したクッション性のある背凭れ部４を渡設するとともに、両前脚杆５，５の上下中間部に前記連結杆１１を渡設し、強固なフレーム構造となしたものであり、前記座回動軸６は連結杆１１よりもやや上方位置に設けている。
【００２０】
前記第二脚部材２は、前記両脚杆５，５の間隔よりも狭く設定した平行な左右一対の後脚杆７，７を有し、両後脚杆７，７の下部間には補強杆１４を連結するとともに、上部間には前記座回動軸８，８を介して座部３の後部が連結され、該座回動軸８，８の前側位置に前記支持杆９の両端が連結され、強固なフレーム構造となしたものである。更に、前記第一脚部材１に対して第二脚部材２が開いた使用状態で、前記第二脚部材２の両後脚杆７，７の上端に前方へ延びた水平部１５，１５を有し、該水平部１５，１５の前端に前記脚回動軸６，６の軸受１６，１６を設けている。
【００２１】
また、本実施形態では、前記両前脚杆５，５と両後脚杆７，７の下端にはそれぞれキャスター１７，…を設けている。また、前記前脚杆５，５、後脚杆７，７、支持杆９、連結杆１１及び補強杆１４は、スチール製丸パイプを用い、それらを溶接して連結している。
【００２２】
そして、図４に示したように、前記第一脚部材１に対して第二脚部材２が開き、前記ストッパー手段１０として、前記第一脚部材１に固定した連結杆１１の屈曲部１２の凹部側に、第二脚部材２に固定した支持杆９の突出部１３の後側を当接することにより、前記第一脚部材１に対して第二脚部材２の開きを規制するとともに、前記座部３の下面を座回動軸８，８より前方位置で前記支持杆９に載置した使用状態で、図５に示すように、複数の椅子を上下に重ねて、下位の椅子の前記第二脚部材２の両後脚杆７，７の上端に形成した水平部１５，１５で、上位の椅子の前記支持杆９の両側部を載支した垂直スタッキング状態を実現できる。
【００２３】
実際には、図３に示すように、前記支持杆９の両側部の上面に取付けた合成樹脂製の緩衝部材１８，１８で、前記座部３の下面の周囲に有する座フレーム１９の両側部を載支する。また、前記ストッパー手段１０においても、実際には前記支持杆９の突出部１３の後側に取付けた合成樹脂製の緩衝部材２０，２０に前記連結杆１１の屈曲部１２に凹部側１２Ａが当接するのである。このように、スチール製丸パイプ同士が直接接触せず、その間に緩衝部材１８や緩衝部材２０を介在させるので、金属音が発生したり、傷付くことを防止できる。
【００２４】
また、図４に示した使用状態から、前記座部３の前部を持ち上げて前記座回動軸８，８を中心として回動させ、図６に示すように、前記座部３を立起状態ないしは前記第一脚部材１と略平行になる状態にした後、前方の椅子の両後脚杆７，７を後方の椅子の両前脚杆５，５の間に挿入すれば、図７に示すように、複数の椅子を前後から重ね合せた水平スタッキング状態を実現することができる。
【００２５】
また、図８に基づいて、図４（図８（ａ））に示した使用状態から椅子を折畳む動作を説明する。先ず、椅子の背後にまわって、図８（ｂ）に示すように、第一脚部材１を立起させて第二脚部材２を浮かせた状態にすると、前記ストッパー手段１０が解除されて該第二脚部材２は座部３と共に前記脚回動軸６，６を中心として前方へ回動し、前記連結杆１１の屈曲部１２の凸部側１２Ｂが前記座回動軸８，８よりも前方位置の前記座部３の下面２１に当接する。それから、前記後脚杆７，７の下部間に渡設した補強杆１４を足で前方へ押すと、第二脚部材２が第一脚部材１に更に接近するとともに、前記屈曲部１２の凸部側１２Ｂが強く前記座部３の下面２１を押し、該座部が前記座回動軸８，８を中心として上方へ回動し（図８（ｃ）参照）、ついには図８（ｄ）に示すように、前記第一脚部材１、第二脚部材２及び座部３とが略平行になった折畳み状態を実現できる。尚、この折畳み状態では、前記後脚杆７，７の前側であって前記支持杆９の連結部の近傍に取付けた合成樹脂製の緩衝部材２２，２２が前記第一脚部材１の連結杆１１の両側部に当接するようにしている。
【００２６】
そして、図８（ｄ）に示した折畳み状態では、前記支持杆９の突出部１３が前記第一脚部材１の前脚杆５よりも前方へ突出するように設定してあり、図９に示すように、前記突出部１３をテーブル２３等の横部材２４に係止することが可能である。
【図面の簡単な説明】
【００２７】
【図１】本発明に係る折畳み椅子を斜め後から見た斜視図である。
【図２】同じく折畳み椅子の分解斜視図である。
【図３】座部を跳ね上げて折畳み椅子を斜め前方から見た斜視図である。
【図４】同じく折畳み椅子の使用状態における側面図である。
【図５】垂直スタッキング状態を示す側面図である。
【図６】脚を開いたまま座部のみを跳ね上げる動作を示す側面図である。
【図７】水平スタッキング状態を示す側面図である。
【図８】椅子を折畳む一連の動作を示す側面図である。
【図９】折畳み状態の椅子をテーブル等の横部材に係止して収納した状態を示す側面図である。
【符号の説明】
【００２８】
１  第一脚部材        ２  第二脚部材
３  座部              ４  背凭れ部
５  前脚杆            ６  脚回動軸
７  後脚杆            ８  座回動軸
９  支持杆            １０  ストッパー手段
１１  連結杆          １２  屈曲部
１２Ａ  凹部側        １２Ｂ  凸部側
１３  突出部          １４  補強杆
１５  水平部          １６  軸受
１７  キャスター      １８  緩衝部材
１９  座フレーム      ２０  緩衝部材
２１  下面            ２２  緩衝部材
２３  テーブル        ２４  横部材
【図１】
2005279032.tif 000003
【図２】
2005279032.tif 000004
【図３】
2005279032.tif 000005
【図４】
2005279032.tif 000006
【図５】
2005279032.tif 000007
【図６】
2005279032.tif 000008
【図７】
2005279032.tif 000009
【図８】
2005279032.tif 000010
【図９】
2005279032.tif 000011